(57)【要約】【課題】紫外線の目への入射を防止することがする顔状態撮像装置及び顔状態撮像方法を提供する。【解決手段】顔状態撮像装置１は、近紫外線光源１０と、カメラ２０と、制御コンピュータ３０と、モニタ４０とを有しており、制御コンピュータ３０は、内部のモーションセンサ部により被験者Ｈの目が閉じられたことが検出された場合に、近紫外線光源１０を制御して近紫外線を照射させ、カメラ２０により撮像され内部の記憶部３２により記憶された被験者Ｈの顔の画像をモニタ４０に表示させる。【選択図】図１
2009153566.tif 000002
【特許請求の範囲】
【請求項１】
被験者の顔に紫外線を照射する紫外線照射手段と、
被験者の顔を撮像する撮像手段と、
前記撮像手段により撮像された被験者の顔の画像を記憶する記憶手段と、
前記記憶手段により記憶された被験者の顔の画像を表示する表示手段と、
被験者が目を閉じたことを検出するセンサと、
前記センサにより被験者の目が閉じられたことが検出された場合に、前記紫外線照射手段を制御して紫外線を照射させた後に、前記撮像手段により撮像し、前記記憶手段から当該撮像された被験者の顔の画像を前記表示手段に表示させる制御手段と、
を備えることを特徴とする顔状態撮像装置。
【請求項２】
前記制御手段は、前記紫外線照射手段により紫外線が照射されたことをトリガとして前記撮像手段により撮像し、当該撮像された被験者の顔の画像を前記記憶手段に記憶させる
ことを特徴とする請求項１に記載の顔状態撮像装置。
【請求項３】
可視光を照射する可視光照射手段と、
前記可視光照射手段による照射と前記紫外線照射手段による照射とを切替する切替手段と、をさらに備え、
前記制御手段は、前記センサにより被験者の目が閉じられたことが検出された場合に、前記切替手段を制御して、前記可視光照射手段による照射から前記紫外線照射手段による照射に切り替えさせる
ことを特徴とする請求項１又は請求項２のいずれかに記載の顔状態撮像装置。
【請求項４】
前記表示手段は、前記撮像手段により撮像された被験者の顔の画像を表示可能であって、
前記制御手段は、前記可視光照射手段を照射させた後に、前記撮像手段により撮像し、当該撮像された被験者の顔の画像を、前記表示手段に表示させる
ことを特徴とする請求項３に記載の顔状態撮像装置。
【請求項５】
前記制御手段は、前記紫外線照射手段を制御して紫外線を照射させ、前記記憶手段により被験者の顔を記憶させた後に、前記切替手段を制御して、前記紫外線照射手段による照射から前記可視光照射手段による照射に切り替えさせ、前記表示手段に記憶した被験者の顔の画像を表示させる
ことを特徴とする請求項３又は請求項４のいずれかに記載の顔状態撮像装置。
【請求項６】
前記記憶手段は、前記紫外線照射手段により紫外線が照射されて前記撮像手段により撮像された過去の被験者の顔の画像を記憶し、
前記制御手段は、前記記憶手段により記憶された過去の顔の画像と、今回前記紫外線照射手段により紫外線が照射されて前記撮像手段により撮像されて前記記憶手段に記憶された被験者の顔の画像とを、前記表示手段に共に表示させる
ことを特徴とする請求項１から請求項５のいずれか１項に記載の顔状態撮像装置。
【請求項７】
前記制御手段は、前記被験者の顔の画像を左右反転させて前記表示手段に表示させる
ことを特徴とする請求項１から請求項６のいずれか１項に記載の顔状態撮像装置。
【請求項８】
被験者が目を閉じたことを検出する第１ステップと、
前記第１ステップにおいて被験者の目が閉じられたことが検出された場合に、紫外線を照射する第２ステップと、
前記第２ステップにおいて紫外線が照射させられた場合に、被験者の顔を撮像する第３ステップと、
前記第３ステップにおいて撮像された被験者の顔の画像を記憶する第４ステップと、
前記第４ステップにおいて記憶された被験者の顔の画像を表示させる第５ステップと、
を有することを特徴とする顔状態撮像方法。
【発明の詳細な説明】
【技術分野】
【０００１】
本発明は、顔状態撮像装置及び顔状態撮像方法に関する。
【背景技術】
【０００２】
従来、被験者の顔に近紫外線（ＵＶ−Ａ）を照射し、紫外線照射状態の顔を撮像することで、可視光の照射状態では見えにくい初期段階のシミを観察可能とした全顔状態撮像用装置が知られている。この装置において、操作者は、まず被験者の顔に可視光を照射し、その後、切替スイッチを操作して被験者の顔に紫外線を照射させる。次いで、操作者は、撮像用カメラを用いて被験者の顔を撮像する（特許文献１参照）。
【特許文献１】特開２００４−３２０６８号公報
【発明の開示】
【発明が解決しようとする課題】
【０００３】
しかし、従来装置では、近紫外線という比較的目にとって安全性が高い光を照射しているものの、被験者の顔に照射しているため、被験者の目に近紫外線が入射してしまうことがあり、望ましいとはいえない。
【０００４】
本発明は、上記問題点を解決するために成されたものであり、その目的とするところは、紫外線の目への入射を防止することが可能な顔状態撮像装置及び顔状態撮像方法を提供することである。
【課題を解決するための手段】
【０００５】
本発明に係る顔状態撮像装置は、被験者の顔に紫外線を照射する紫外線照射手段と、被験者の顔を撮像する撮像手段と、撮像手段により撮像された被験者の顔の画像を記憶する記憶手段と、記憶手段により記憶された被験者の顔の画像を表示する表示手段と、被験者が目を閉じたことを検出するセンサと、センサにより被験者の目が閉じられたことが検出された場合に、紫外線照射手段を制御して紫外線を照射させた後に、撮像手段により撮像し、記憶手段から当該撮像された被験者の顔の画像を表示手段に表示させる制御手段と、を備える。
【０００６】
この顔状態撮像装置によれば、センサにより被験者の目が閉じられたことが検出された場合に、紫外線照射手段を制御して紫外線を照射させ、その後撮像手段により撮像し、記憶手段により記憶された被験者の顔の画像を表示手段に表示させる。このため、被験者の目が閉じられていない場合、制御手段により紫外線が被験者の顔に照射されないこととなり、被験者の目には紫外線が入射しないこととなる。従って、紫外線の目への入射を防止することができる。
【０００７】
また、本発明に係る顔状態撮像装置において、制御手段は、紫外線照射手段により紫外線が照射されたことをトリガとして撮像手段により撮像し、当該撮像された被験者の顔の画像を記憶手段に記憶させることが好ましい。
【０００８】
この顔状態撮像装置によれば、制御手段は、紫外線照射手段により紫外線が照射されたことをトリガとして撮像手段により撮像し、撮像された被験者の顔の画像を記憶手段に記憶させる。このため、撮像及び記憶について、操作者等が操作することなく自動的に行われることとなり、紫外線照射後、比較的早くに撮像画像の記憶までの処理が実行されることとなる。従って、皮膚に長時間紫外線が照射されてしまう事態を抑制することができる。
【０００９】
また、本発明に係る顔状態撮像装置において、可視光を照射する可視光照射手段と、可視光照射手段による照射と紫外線照射手段による照射とを切替する切替手段と、をさらに備え、制御手段は、センサにより被験者の目が閉じられたことが検出された場合に、切替手段を制御して、可視光照射手段による照射から紫外線照射手段による照射に切り替えさせることが好ましい。
【００１０】
この顔状態撮像装置によれば、制御手段は、センサにより被験者の目が閉じられたことが検出された場合に、切替手段を制御して、可視光照射手段による照射から紫外線照射手段による照射に切り替えさせる。このため、目を閉じる前までは、可視光が照射されることとなり、暗所であっても本顔状態撮像装置を使用することができ、且つ、被験者の目が閉じられて撮像に移行する段階では可視光が邪魔とならないようにすることができる。
【００１１】
また、本発明に係る顔状態撮像装置において、表示手段は、撮像手段により撮像された被験者の顔の画像を表示可能であって、制御手段は、可視光照射手段を照射させた後に、撮像手段により撮像し、当該撮像された被験者の顔の画像を、表示手段に表示させることが好ましい。
【００１２】
この顔状態撮像装置によれば、制御手段は、可視光を照射させた後に、撮像手段により撮像された被験者の顔の画像を、表示手段に表示させるため、被験者は、表示手段により表示される自己の顔位置を確認でき、紫外線照射時において誤った位置で撮像されないようにすることができる。
【００１３】
また、本発明に係る顔状態撮像装置において、制御手段は、紫外線照射手段を制御して紫外線を照射させ、記憶手段により被験者の顔を記憶させた後に、切替手段を制御して、紫外線照射手段による照射から可視光照射手段による照射に切り替えさせ、表示手段に記憶した被験者の顔の画像を表示させることが好ましい。
【００１４】
この顔状態撮像装置によれば、制御手段は、紫外線照射手段を制御して紫外線を照射させ、記憶手段により被験者の顔の画像を記憶させた後に、切替手段を制御して、紫外線照射手段による照射から可視光照射手段による照射に切り替えさせる。このため、撮像完了後に紫外線の照射は終了することとなり、皮膚に長時間紫外線が照射されてしまう事態を抑制することができる。
【００１５】
また、本発明に係る顔状態撮像装置において、記憶手段は、紫外線照射手段により紫外線が照射されて撮像手段により撮像された過去の被験者の顔の画像を記憶し、制御手段は、記憶手段により記憶された過去の顔の画像と、今回紫外線照射手段により紫外線が照射されて撮像手段により撮像されて記憶手段に記憶された被験者の顔の画像とを、表示手段に共に表示させることが好ましい。
【００１６】
この顔状態撮像装置によれば、制御手段は、過去の顔の画像と、今回の被験者の顔の画像とを共に表示手段に表示させる。このため、過去のシミ等の状態と現在のシミ等の状態とを比較することができ、シミ等の進行状態や手入れ状態を被験者に分かりやすく提示することができる。
【００１７】
また、本発明に係る顔状態撮像装置において、制御手段は、被験者の顔の画像を左右反転させて表示手段に表示させることが好ましい。
【００１８】
この顔状態撮像装置によれば、制御手段は、撮像手段により撮像された被験者の顔の画像を左右反転させて表示手段に表示させる。このため、表示手段により表示される画像は鏡に映ったような画像となり、左右反転させない場合に比較して、被験者にシミ等の位置を確認させやすくすることができる。
【００１９】
また、本発明に係る顔状態撮像方法は、被験者が目を閉じたことを検出する第１ステップと、第１ステップにおいて被験者の目が閉じられたことが検出された場合に、紫外線を照射する第２ステップと、第２ステップにおいて紫外線が照射させられた場合に、被験者の顔を撮像する第３ステップと、第３ステップにおいて撮像された被験者の顔の画像を記憶する第４ステップと、第４ステップにおいて記憶された被験者の顔の画像を表示させる第５ステップと、を有する。
【００２０】
この顔状態撮像方法によれば、被験者の目が閉じられたことが検出された場合に、紫外線を照射させ、その後撮像され記憶された被験者の顔の画像を表示させる。このため、被験者の目が閉じられていない場合、紫外線が被験者の顔に照射されないこととなり、被験者の目には紫外線が入射しないこととなる。従って、紫外線の目への入射を防止することができる。
【発明の効果】
【００２１】
本発明に係る顔状態撮像装置及び顔状態撮像方法よれば、紫外線の目への入射を防止することができる。
【発明を実施するための最良の形態】
【００２２】
以下、図面を参照して、本発明の実施の形態を説明する。図１は、本発明の実施形態に係る顔状態撮像装置を示す外観構成図である。顔状態撮像装置１は、被験者Ｈの顔に近紫外線を照射し、照射中に撮像されて記憶された画像を、照射完了後に被験者Ｈに対して表示するものである。この顔状態撮像装置１は、近紫外線光源（紫外線照射手段）１０と、カメラ（撮像手段）２０と、制御コンピュータ（制御手段）３０と、モニタ（表示手段）４０と、可視光光源（可視光照射手段）５０と、光源切替器（切替手段）６０とを備えている。
【００２３】
近紫外線光源１０は、約２５０〜４５０ｎｍの近紫外線を被験者Ｈの顔に向けて照射するものであって、例えば紫外線発光ダイオードやブラックライトによって構成されている。カメラ２０は、被験者Ｈの顔を撮像するものであって、例えばＣＣＤカメラやＣＭＯＳカメラによって構成されている。また、このカメラ２０は、前面に紫外線カットフィルタ２１が設けられており、不要な紫外線をカットする構成となっている。
【００２４】
制御コンピュータ３０は、顔状態撮像装置１の全体を制御するものであり、カメラ２０の撮像によって得られた撮像信号を処理して画像化し、画像化された被験者Ｈの顔の画像信号をモニタ４０に提供するものである。モニタ４０は、画像信号に基づく被験者Ｈの顔の画像を表示するものである。
【００２５】
可視光光源５０は、被験者Ｈの顔に可視光を照射するものであって、例えば白色発光ダイオードが用いられる。光源切替器６０は、可視光光源５０と近紫外線光源１０とのスイッチングを行って、可視光光源５０による照射と近紫外線光源１０による照射とを切替するものである。
【００２６】
図２は、図１に示した制御コンピュータ３０の詳細を示すブロック図である。図２に示すように、制御コンピュータ３０は、画像処理部３１と、記憶部（記憶手段）３２と、モーションセンサ部（センサ）３３と、機器制御部３４とを有している。
【００２７】
画像処理部３１は、カメラ２０の撮像によって得られた撮像信号を処理して撮像画像情報、すなわち被験者Ｈの顔の画像情報を生成するものである。この画像処理部３１は、記憶部３２、モーションセンサ部３３及びモニタ４０に接続されており、それぞれに顔画像の情報を送信可能となっている。
【００２８】
記憶部３２は、カメラ２０により撮像され画像処理装置３１によって生成された被験者Ｈの顔の画像情報を記憶するものである。また、記憶部３２は、モニタ４０に接続されており、モニタ４０に顔画像の情報を送信可能となっている。
【００２９】
ここで、モニタ４０は、画像処理部３１から顔画像の情報を受信可能であると共に、記憶部３２から顔画像の情報を受信可能となっている。このため、モニタ４０は、カメラ２０により撮像された被験者Ｈの顔の画像をリアルタイム的に表示可能であると共に、記憶部３２に記憶された被験者Ｈの顔の画像を表示可能となっている。
【００３０】
また、記憶部３２は、被験者Ｈの顔の画像情報を蓄積する構成となっている。このため、過去に被験者Ｈの顔の画像情報が記憶された場合、この画像についてもモニタ４０に表示することができる。
【００３１】
モーションセンサ部３３は、被験者Ｈが目を閉じたことを検出するものであって、カメラ２０により撮像された画像に基づいて被験者Ｈの目の開閉を判断する構成となっている。このモーションセンサ部３３は、２値化部３３ａと、目位置検出部３３ｂと、目開閉判断部３３ｃとから構成されている。
【００３２】
２値化部３３ａは、所定の閾値を基準に画像を２値化処理するものである。この２値化処理部３３ａによる処理によって、画像の明るい部分と暗い部分とが分けられることとなる。このため、被験者Ｈの顔の暗い部分である眉、アイライン、鼻の穴、及び、上唇と下唇との境界などが暗い部分として抽出される。
【００３３】
目位置検出部３３ｂは、被験者Ｈの顔から目の位置を検出するものである。この目位置検出部３３ｂは、眉、アイライン、鼻の穴、及び、上唇と下唇との境界など、被験者Ｈの顔の暗い部分として検出された部位の配置関係からアイライン（すなわち目の位置）を検出する構成となっている。
【００３４】
目開閉判断部３３ｃは、目位置検出部３３ｂにより検出された目の位置の情報と２値化部３３ａにより得られた画像の２値化情報とから、目の開閉を判断するものである。具体的に、目が開いている場合、上に凸となるアイライン、眼球（黒い部分）及び下に凸となるアイラインが暗い部分として検出され易く、目が閉じている場合、真っ直ぐ又は下に凸となるアイラインが暗い部分として検出され易い。このような傾向を利用して、目開閉判断部３３ｃは、被験者Ｈの目が閉じたか否かを判断する構成となっている。
【００３５】
なお、一度目の位置が検出されると被験者Ｈの顔が大きく動かない限り、目の位置は大きく変化しない。このため、２値化部３３ａは、一度目の位置が検出されると、目の位置があると推定される箇所のみを２値化して、処理速度の向上を図ってもよい。また、モーションセンサ部３３は、一度目の位置が検出されると、目位置検出部３３ｂの処理を省略して、目の開閉判断を行ってもよい。
【００３６】
機器制御部３４は、カメラ２０の撮像制御、記憶部３２の記憶制御、モニタ４０の表示制御、及び光源切替部５０によるスイッチング制御を行うものである。特に、機器制御部３４は、モーションセンサ部３３により被験者Ｈの目が閉じられたと判断された場合に、カメラ２０の撮像制御及び記憶部３２の記憶制御を行い、カメラ２０により撮像された被験者Ｈの顔の画像を記憶させる構成となっている。
【００３７】
このような顔状態撮像装置１において、電源がオンされると、機器制御部３４は、光源切替器６０に信号を出力し、可視光光源５０から可視光を照射させる。その後、機器制御部３４は、カメラ２０による撮像を開始する。また、電源がオンされると、画像処理部３１が画像処理を開始し、モーションセンサ部３３の２値化部３３ａが２値化処理を行う。そして、目位置検出部３３ｂが被験者Ｈの目の位置を検出し、目開閉判断部３３ｃは、目の開閉状態を判断する。
【００３８】
なお、上記の如く可視光の照射中において、カメラ２０により撮像された被験者Ｈの顔の画像情報は、記憶部３２を介することなくモニタ４０に供給される。このため、モニタ４０は、被験者Ｈの顔の画像をリアルタイム的に表示することとなり、被験者Ｈはモニタ４０に表示される画像を見ながら、撮像される顔のアングルやトリミングを決定することができる。
【００３９】
ここで、目開閉判断部３３ｃにより被験者の目が閉じられたと判断されたとする。この場合、機器制御部３４は、カメラ２０による撮像を一度中止する。すなわち、リアルタイム的な表示の必要が無くなったため、機器制御部３４は一度撮像を中止することとなる。そして機器制御部３４は、光源切替器６０に信号を出力し、可視光光源５０による可視光の照射から近紫外線光源１０による近紫外線の照射に切り替える。さらに、機器制御部３４は、近紫外線光源１０から近紫外線が照射されたことをトリガとして、カメラ２０及び記憶部３２に信号を出力し、カメラ２０により撮像させ、その後被験者Ｈの顔の画像情報を記憶部３２に記憶させる。加えて、機器制御部３４はモニタ４０に信号を出力し、記憶部３２に記憶された被験者Ｈの顔の画像をモニタ４０に表示させることとなる。
【００４０】
これにより、近紫外線照射中に得られるシミ等が写った画像がモニタ４０に表示されることとなり、美容促進につなげることができる。また、被験者Ｈの目が閉じられていない場合、制御コンピュータ３０により近紫外線が被験者の顔に照射されないこととなり、被験者の目には近紫外線が入射しないこととなる。従って、近紫外線の目への入射を防止することができる。
【００４１】
また、カメラ２０により被験者Ｈの顔が撮像された後、機器制御部３４は、光源切替器６０に信号を出力し、近紫外線光源１０による近紫外線の照射から可視光光源５０による可視光の照射に切り替える。これにより、皮膚に長時間近紫外線が照射されてしまう事態を防止すると共に、目を閉じた後、すぐに被験者Ｈが目を開けてしまっても近紫外線が目に入射しないようにしている。
【００４２】
次に、本実施形態に係る顔状態撮像方法を、フローチャートを参照して説明する。図３は、本実施形態に係る顔状態撮像方法を示すフローチャートである。まず、顔状態撮像装置１の電源がオンされると、制御コンピュータ３０の機器制御部３４は、光源切替器６０を制御して、可視光光源５０から可視光を照射させる（Ｓ１）。
【００４３】
次いで、カメラ２０は、撮像を開始する（Ｓ２）。その後、カメラ２０からの撮像画像の情報は、制御コンピュータ３０を介して記憶されることなく、直接モニタ４０に供給され、モニタ４０は、被験者Ｈの顔の画像を表示させる（Ｓ３）。次に、制御コンピュータ３０は、現在の被験者Ｈの目位置について検出済みであるか否かを判断する（Ｓ４）。
【００４４】
目位置について検出済みであると判断した場合（Ｓ４：ＹＥＳ）、処理はステップＳ７に移行する。一方、目位置について検出済みでないと判断した場合（Ｓ４：ＮＯ）、２値化部３３ａは２値化処理を行って（Ｓ５）、顔の暗い部分を特定する。そして、目位置検出部３３ｂは、顔の暗い部分の配置関係から目の位置を検出する（Ｓ６）。
【００４５】
次いで、ステップＳ７において、開閉判断部３３ｃは目が開いているか、閉じているかを判断する（Ｓ７）。そして、目が閉じていないと判断された場合（Ｓ８：ＮＯ）、処理はステップＳ２に移行する。一方、目が閉じたと判断された場合（Ｓ８：ＹＥＳ）、機器制御部３４は、光源切替器６０を制御して、可視光光源５０による可視光の照射から、近紫外線光源１０による近紫外線の照射に切り替えさせる（Ｓ９）。このとき、機器制御部３４は、一度撮像を中止する。
【００４６】
次いで、機器制御部３４は、撮像を行う（Ｓ１０）。次に、機器制御部３４は、記憶部３２の記憶制御を行い、カメラ２０により撮像された被験者Ｈの顔の画像情報を記憶部３２に記憶させる（Ｓ１１）。そして、機器制御部３４は、光源切替器６０を制御して、近紫外線光源１０による近紫外線の照射から、可視光光源５０による可視光の照射に切り替えさせる（Ｓ１２）。
【００４７】
その後、機器制御部３４は、現在顔の画像情報が記憶された被験者Ｈについて、過去に記憶部３２に記憶された顔の画像情報が存在するか否かが判断される（Ｓ１３）。過去の被験者Ｈの画像情報がないと判断された場合（Ｓ１３：ＮＯ）、制御コンピュータ３０は、今回記憶部３２に記憶された画像情報について左右反転処理を実行する（Ｓ１４）。そして、機器制御部３４は、左右反転処理が施された画像情報をモニタ４０に送信し、モニタ４０は、左右反転した画像を表示する（Ｓ１５）。その後、処理は終了する。
【００４８】
図４は、図３に示したステップＳ１５において表示される画像を示す説明図である。図４に示すように、左右反転処理が施されることにより、表示画像は鏡に映ったようになる。よって、顔の右側に存在するシミＲについては被験者Ｈから向かって右側に表示され、顔の左側に存在するシミＬについては被験者Ｈから向かって左側に表示される。これにより、被験者Ｈにシミ等の位置を把握させ易くしている。
【００４９】
再度、図３を参照する。過去の被験者Ｈの画像情報があると判断された場合（Ｓ１３：ＹＥＳ）、制御コンピュータ３０は、今回記憶部３２に記憶された画像情報について左右反転処理を実行すると共に、過去に記憶部３２に記憶された画像情報について左右反転処理を実行する（Ｓ１６）。そして、機器制御部３４は、左右反転処理が施された双方の画像情報をモニタ４０に送信し、モニタ４０は、左右反転した双方の画像を共に表示する（Ｓ１７）。その後、処理は終了する。
【００５０】
図５は、図３に示したステップＳ１７において表示される画像を示す説明図である。図６に示すように、左右反転処理が施されることにより、表示画像は鏡に映ったようになる。また、図５に示す例では、１月前の顔の画像と、現在の顔の画像とが共に表示されている。このため、肌の手入れの様子などを被験者Ｈに分かりやすく提示することができる。具体的に、図５に示す例の場合、左右双方のシミＲ、Ｌが１月前より小さくなっていることがわかる。このため、肌の手入れをこのまま継続すべきなどの情報についても被験者Ｈに知らせることができる。
【００５１】
このようにして、本実施形態に係る顔状態撮像装置１によれば、モーションセンサ部３３により被験者Ｈの目が閉じられたことが検出された場合に、近紫外線光源１０を制御して近紫外線を照射させ、その後カメラ２０により撮像し、記憶部３２により記憶された被験者Ｈの顔の画像をモニタ４０に表示させる。このため、被験者Ｈの目が閉じられていない場合、制御コンピュータ３０により近紫外線が被験者Ｈの顔に照射されないこととなり、被験者Ｈの目には近紫外線が入射しないこととなる。従って、近紫外線の目への入射を防止することができる。
【００５２】
また、制御コンピュータ３０は、近紫外線光源１０により近紫外線が照射されたことをトリガとしてカメラ２０により撮像された被験者Ｈの顔の画像を記憶部３２に記憶させる。このため、撮像及び記憶について、操作者等が操作することなく自動的に行われることとなり、近紫外線照射後、比較的早くに撮像画像の記憶までの処理が実行されることとなる。従って、皮膚に長時間近紫外線が照射されてしまう事態を抑制することができる。
【００５３】
また、制御コンピュータ３０は、モーションセンサ部３３により被験者Ｈの目が閉じられたことが検出された場合に、光源切替器６０を制御して、可視光光源５０による照射から近紫外線光源による照射に切り替えさせる。このため、目を閉じる前までは、可視光が照射されることとなり、暗所であっても本顔状態撮像装置１を使用することができ、且つ、被験者Ｈの目が閉じられて撮像に移行する段階では可視光が邪魔とならないようにすることができる。
【００５４】
また、制御コンピュータ３０は、可視光を照射させた後に、カメラ２０により撮像された被験者Ｈの顔の画像を、モニタ４０に表示させるため、被験者Ｈは、モニタ４０により表示される自己の顔位置を確認でき、近紫外線照射時において誤った位置で撮像されないようにすることができる。
【００５５】
また、制御コンピュータ３０は、近紫外線光源１０を制御して近紫外線を照射させ、記憶部３２により被験者Ｈの顔を記憶させた後に、光源切替器６０を制御して、近紫外線光源１０による照射から可視光光源５０による照射に切り替えさせる。このため、撮像完了後に近紫外線の照射は終了することとなり、皮膚に長時間近紫外線が照射されてしまう事態を抑制することができる。
【００５６】
また、制御コンピュータ３０は、過去の顔の画像と、今回の被験者の顔の画像とを共にモニタ４０に表示させる。このため、過去のシミ等の状態と現在のシミ等の状態とを比較することができ、シミ等の進行状態や手入れ状態を被験者に分かりやすく提示することができる。
【００５７】
また、制御コンピュータ３０は、カメラ２０により撮像された被験者Ｈの顔の画像を左右反転させてモニタ４０に表示させる。このため、モニタ４０より表示される画像は鏡に映ったような画像となり、左右反転させない場合に比較して、被験者にシミ等の位置を確認させやすくすることができる。
【００５８】
また、本実施形態に係る顔状態撮像方法によれば、被験者Ｈの目が閉じられたことが検出された場合に、近紫外線を照射させ、その後撮像され記憶された被験者Ｈの顔の画像を表示させる。このため、被験者Ｈの目が閉じられていない場合、近紫外線が被験者Ｈの顔に照射されないこととなり、被験者Ｈの目には近紫外線が入射しないこととなる。従って、近紫外線の目への入射を防止することができる。
【００５９】
以上、本発明に係る顔状態撮像装置及び顔状態撮像方法を実施形態に基づいて説明したが、本発明はこれに限定されるものではなく、本発明の趣旨を逸脱しない範囲で、変更を加えてもよい。
【００６０】
例えば、本実施形態では、カメラ２０とモニタ４０とは被験者Ｈからみ同方向側に位置するが、これに限らず、異なる方向側に設けられていてもよい。なお、モニタ４０がカメラ２０と同方向側に存在しないと顔を正確な撮像範囲の中央付近に位置させるにあたり、顔や目線を動かすこととなってしまうため、カメラ２０とモニタ４０とが被験者Ｈから見て同方向側に位置する方が位置合わせを容易とする点で望ましい。
【００６１】
また、本実施形態において、目の開閉は図２に示したようなモーションセンサ部３３によって判断されているが、これに限らず、上瞼のオプティカルフローを利用するなど、他の方式によって判断されてもよい。
【００６２】
また、本実施形態において、制御コンピュータ３０は記憶部３２に記憶されている画像について左右反転処理を施し、モニタ４０に出力しているが、これに限らず、画像情報を記憶部３２に記憶させる前に反転処理を施しておいてもよい。
【００６３】
また、本実施形態において、制御コンピュータ３０は、記憶部３２に記憶された被験者Ｈの顔の画像について反転処理を施しているが、これに加えて、可視光照射時にモニタ４０に表示される画像について反転処理を施してもよい。これにより、可視光照射時においても被験者Ｈの顔は鏡像のように表示され、被験者Ｈは、撮像される顔のアングルやトリミングを容易に決定できるからである。
【００６４】
さらに、本実施形態において、目開閉判断部３３ｃは、被験者Ｈの瞬きに反応しない構成となっていることが望ましい。これにより、瞬きの瞬間に目が閉じていると判断され、近紫外線を照射することにより、瞬き終了直後（すなわち目が開いた直後）の被験者Ｈに近紫外線を照射してしまう事態を防止できるからである。
【図面の簡単な説明】
【００６５】
【図１】本発明の実施形態に係る顔状態撮像装置を示す外観構成図である。
【図２】図１に示した制御コンピュータの詳細を示すブロック図である。
【図３】本実施形態に係る顔状態撮像方法を示すフローチャートである。
【図４】図３に示したステップＳ１５において表示される画像を示す説明図である。
【図５】図３に示したステップＳ１７において表示される画像を示す説明図である。
【符号の説明】
【００６６】
１  顔状態撮像装置
１０  近紫外線光源（紫外線照射手段）
２０  カメラ（撮像手段）
３０  制御コンピュータ（制御手段）
３１  画像処理部
３２  記憶部（記憶手段）
３３  モーションセンサ部（センサ）
３３ａ  ２値化部
３３ｂ  目位置検出部
３３ｃ  目開閉判断部
３４  機器制御部
４０  モニタ（表示手段）
５０  可視光光源（可視光照射手段）
６０  光源切替器（切替手段）
【図１】
2009153566.tif 000003
【図２】
2009153566.tif 000004
【図３】
2009153566.tif 000005
【図４】
2009153566.tif 000006
【図５】
2009153566.tif 000007